(57)【要約】      （修正有）【課題】底部に充電コネクターがあるスマートフォン等を保持するホルダーとして、ホルダーに装着した状態でも比較的容易にコネクターの着脱ができ、テーブル等に置くような形態にも対応できる携帯情報端末用ホルダーを提供する。【解決手段】携帯情報端末用ホルダーＸは、側縁支持体、底部支持体２０、背面体３０、前面体４０から構成される。側面支持体は、保持するスマートフォンの側面に当接して保持する細長い長方形の板状体により形成される。側面支持体は、後述するように背面体３０の吊り下げ部で吊り下げられると斜めに傾斜した状態に保持される。底部支持体２０は、保持するスマートフォンの底面に当接して保持する長方形の板状体により形成される。底部支持体２０の下端は、側縁支持体の下端にほぼ直角に交わるように連結している。【選択図】図１
0003191679.tif 000002
【実用新案登録請求の範囲】
【請求項１】
底面中央に充電コネクターが設けられる携帯情報端末を保持するホルダーであって、
前記携帯情報端末の一方の側縁部に当接して支持する、当該当接面が水平に対して斜めに保持される側縁支持体と、
前記側縁支持体の下端側に設けられる前記携帯情報端末の底部に当接するとともに、前記充電コネクターに至らない程度の長さを有する底部支持体と、
を有する携帯情報端末用ホルダー。
【請求項２】
前記底部支持体には、前記充電コネクターに係合する充電コードのコード部分が嵌る上方側が開放した隙間が形成される請求項１に記載の携帯情報端末用ホルダー。
【請求項３】
前記側縁支持体と底部支持体の少なくとも一方に連結される、保持される前記携帯情報端末の背面に相対する板体、棒体又は紐体からなる背面体であって、上方に一の穴もしくはフックからなる吊り下げ部が設けられる背面体を有するものであって、
当該吊り下げ部によって吊り下げると、前記側縁支持体の当接面が前述したように斜めに保持されるよう、全体の重量バランスが設定されるものである
請求項１又は２に記載の携帯情報端末用ホルダー。
【請求項４】
前記携帯情報端末用ホルダーは所定の凹部が形成された壁面に係合固定されるものであって、
前記側縁支持体と底部支持体の少なくとも一方に、保持される前記携帯情報端末の背面側に突出する、前記凹部に係合する突起からなる係合体であって、当該凹部に係合すると前記側縁支持体の当接面が前述したように斜めに保持されるよう形成される係合体を有する
請求項１又は２に記載の携帯情報端末ホルダー。
【考案の詳細な説明】
【技術分野】
【０００１】
本考案は、スマートフォン、タブレットコンピューターなどの携帯情報端末を保管するためのホルダーに関する。
【背景技術】
【０００２】
スマートフォンやタブレットコンピューターは定期的に充電をする必要があるが、多くの場合、充電ケーブルに接続した状態で、スマートフォン等は床やテーブルにそのまま置くことが多い。しかし、このような状態での充電は見た目が悪く、また、誤って踏んだり、落としたりする恐れもある。
これに対して、下記特許文献にはスマートフォン等の携帯情報端末を保持するホルダーが示されている。特許文献１に記載の考案は、上方が開放した収納部を有する壁面に固定するホルダーであって、下方に充電コネクターを保持する構造を有するものであり、特許文献２に記載の考案は上方が開放した収納部を有し、側方にコネクターを保持する構造を有するものである。このようなホルダーを用いると、スマートフォン等の充電時の見た目もよくなり、落としたりする恐れを低減することができる。
【先行技術文献】
【特許文献】
【０００３】
【特許文献１】特開2013-192122号公報
【特許文献２】実用新案登録3075507号公報
【考案の概要】
【考案が解決しようとする課題】
【０００４】
ところで、特許文献１に記載の考案は、充電コネクターを真下から接続しなければならないので、ホルダーにスマートフォン等を固定した状態で充電コネクターを接続することは難しい。また、下方に充電ケーブルが垂れ下がるので、下方側にスペースが必要であり、テーブル等に置くような形態とすることはできない。また、特許文献２に記載の考案は側方でコネクターを接続するので、スマートフォン等をホルダーに固定した状態でも容易にコネクター同士を着脱することができ、また、テーブル等に置く形態とすることもできるが、特許文献２に記載のホルダーはスマートフォン等の側面にコネクターがあることが前提であるために、底面に充電コネクターがあるスマートフォン等に適用することはできない。
本考案は、このような問題に鑑みて、底部に充電コネクターがあるスマートフォン等を保持するホルダーとして、ホルダーに装着した状態でも比較的容易にコネクターの着脱ができ、テーブル等に置くような形態にも対応できるようにすることを課題とする。
【課題を解決するための手段】
【０００５】
上記課題を解決するために、本考案は、次のような構成を有する。
請求項１に記載の考案は、底面中央に充電コネクターが設けられる携帯情報端末を保持するホルダーであって、  前記携帯情報端末の一方の側縁部に当接して支持する、当該当接面が水平に対して斜めに保持される側縁支持体と、前記側縁支持体の下端側に設けられる前記携帯情報端末の底部に当接するとともに、前記充電コネクターに至らない程度の長さを有する底部支持体と、を有する携帯情報端末用ホルダーである。
請求項２に記載の考案は、前記携帯端末用ホルダーにおいて、前記底部支持体には、前記充電コネクターに係合する充電コードのコード部分が嵌る上方側が開放した隙間が形成されるものである。
請求項３に記載の考案は、前記携帯端末用ホルダーにおいて、前記側縁支持体と底部支持体の少なくとも一方に連結される、保持される前記携帯情報端末の背面に相対する板体、棒体又は紐体からなる背面体であって、上方に一の穴もしくはフックからなる吊り下げ部が設けられる背面体を有するものであって、当該吊り下げ部によって吊り下げると、前記側縁支持体の当接面が前述したように斜めに保持されるよう、携帯端末用ホルダー全体の重量バランスが設定されるものである。
請求項４に記載の考案は、請求項１又は２に記載の携帯情報端末用ホルダーにおいて、当該携帯情報端末用ホルダーは所定の凹部が形成された壁面に係合固定されるものであり、  前記側縁支持体と底部支持体の少なくとも一方に、保持される前記携帯情報端末の背面側に突出する、前記凹部に係合する突起からなる係合体であって、当該凹部に係合すると前記側縁支持体の当接面が前述したように斜めに保持されるよう形成される係合体を有するものである。
【考案の効果】
【０００６】
以上のような構成により、本考案は、次のような効果を奏する。
請求項１に記載の考案は、携帯情報端末を斜めに保持することにより、携帯情報端末の底部が側方斜め下方に位置し、底部支持体は充電コネクターにかからない長さなので、携帯情報端末の充電コネクターが側方斜め下方に表出するため、携帯情報端末をホルダーに装着した状態で、側方から充電コネクターの着脱が可能となる。また、充電コネクターは斜め側方に位置し、充電ケーブルは側方に延ばせるので、最下端で充電コネクター部分が邪魔になることがなく、テーブル等に置くような形状することが可能である。
請求項２に記載の考案は、底部支持体に充電コードのコード部分が嵌る隙間を形成することで、充電コードのコネクター部分はコード部分よりも大きいので、携帯情報端末を保持していない状態のときには、当該隙間に充電コードのコード部分を嵌めると、コネクター部分が引っ掛って、落ちないように保持しておくことができる。
請求項３に記載の考案は、吊り下げ部の一点で保持するので、吊り下げる壁面等の加工を最小限にすることができる。
請求項４に記載の考案は、壁面の凹所に着脱するので、必要に応じて取り付け、取り外しができ、取り外した後の壁面は突出した部分が残らず平らな状態とすることができる。
【図面の簡単な説明】
【０００７】
【図１】実施形態に係る携帯情報端末用ホルダーの斜視図である。
【図２】（ａ）は実施形態に係る携帯情報端末用ホルダーの正面図であり、（ｂ）は実施形態に係る携帯情報端末用ホルダーの左側図であり、（ｃ）は実施形態に係る携帯情報端末用ホルダーの右側図であり、（ｄ）は実施形態に係る携帯情報端末用ホルダーの平面図であり、（ｅ）は実施形態に係る携帯情報端末用ホルダーの底面図である。
【図３】（ａ）〜（ｅ）は、実施形態に係る携帯情報端末用ホルダーの使用方法を示す斜視図である。
【図４】変形例に係る携帯情報端末用ホルダーの斜視図である。
【図５】変形例に係る携帯情報端末用ホルダーの使用状態を示す斜視図である。
【図６】第二の変形例に係る携帯情報端末用ホルダーの斜視図である。
【考案を実施するための形態】
【０００８】
以下、本考案の実施の形態について、図面を参照しながら説明する。
図１に本実施形態に係る携帯情報端末用ホルダーＸの斜視図を示し、図２（ａ）〜（ｅ）のそれぞれに、携帯情報端末用ホルダーＸの正面図、左側面図、右側面図、平面図、底面図を示す。本実施形態で示す携帯情報端末用ホルダーＸは携帯情報端末として底部中央に充電コネクターを有するスマートフォンを保持するものである。携帯情報端末用ホルダーＸは、側縁支持体１０、底部支持体２０、背面体３０、前面体４０から構成される。
側面支持体１０は、保持するスマートフォンの側面に当接して保持する細長い長方形の板状体により形成される。側面支持体１０は、後述するように背面体３０の吊り下げ部で吊り下げられると図１、２に示すように斜めに傾斜した状態に保持される。
【０００９】
底部支持体２０は、保持するスマートフォンの底面に当接して保持する長方形の板状体により形成される。底部支持体２０の下端は、側縁支持体１０の下端にほぼ直角に交わるように連結している。また、底部支持体２０の幅は側縁支持体１０の幅よりやや狭く、長さは、保持するスマートフォンの底部中央の充電コネクターからの充電に邪魔にならない程度に短く形成される。また、底部支持体上縁中央には切り欠きからなる、充電コードが嵌る幅を有する隙間２１が形成されている。
【００１０】
背面体３０は、側面支持体１０、底部支持体２０の一方の側縁に直交するように連結する板体により形成される。背面体３０には上方に伸びる上方伸延部３１が設けられており、上方伸延部３１の上端近傍には穴からなる吊り下げ部３１ａが形成されている。吊り下げ部３１ａをフックなどで引っ掛けて吊り下げると、全体のバランスが図１に示すように側面支持部１０、底部支持体２０が斜めになるような位置に、吊り下げ部３１ａは設けられる。
前面体４０は、側面支持体１０、底部支持体２０の他方の側縁に直交するように連結する板体により形成される。
【００１１】
次に、以上のような構成を有する携帯情報端末用ホルダーＸの使用方法について説明する。使用者はまず、図３（ａ）に示す壁などに固定したフックＦに、吊り下げ部３１ａを通して、携帯情報端末用ホルダーＸを吊り下げる。なお、フックＦは、壁面の電源コンセントの近くに固定することが望ましい。次に、電源コンセントと接続した充電ケーブルＣを図３（ｂ）に示すように、コネクターに近接したケーブル部分を底部支持体２０の隙間２１に嵌めて固定する。スマートフォンの使用中は図３（ｂ）のような状態にしておく。次に、スマートフォンを保持して充電する際には、まず、図３（ｃ）に示すように、充電ケーブルＣのコネクター部分を取り出し、図３（ｄ）に示すように、当該コネクター部分を接続したスマートフォンＳを、側面支持体１０に側面が当接し、底部支持体２０に底面が当接するように置くようにする。なお、充電ケーブルとスマートフォンＳのコネクター同士の接続は、スマートフォンＳを側面支持体１０、底部支持体２０に当接させてから行ってもよく、スマートフォンＳを側面支持体１０、底部支持体２０に当接させる前に行ってもよい。充電が完了したスマートフォンＳを取り出す場合は、充電ケーブルＣのコネクターをスマートフォンＳから抜いたあとスマートフォンＳを取り出すか、もしくは、充電ケーブルＣのコネクターを抜かずにスマートフォンＳを取り出した後で、充電ケーブルＣのコネクターを抜く。その後、コネクターに近接したケーブル部分を底部支持体２０の隙間２１に嵌めて固定して、図３（ｂ）に示すような状態とする。
このように本実施形態に係る携帯情報端末用ホルダーＸは、スマートフォンの一側面と底面で当接し、背面及び前面は塞がれているので安定してスマートフォンを保持固定でき、斜め下方が開放した状態であるので、スマートフォンを保持したまま充電ケーブルのコネクターの抜き差しが可能である。また、充電ケーブルのコネクターを固定する隙間２１は、上方が開放しているとともに、前面部と背面部に側方が塞がれているので、充電ケーブルのコネクターの固定を行う際に、コネクター部分が隙間２１に導かれ、スムーズに固定することができる。  
【００１２】
なお、上記実施形態では、一点で回転可能に吊り下げる場合を例示したが、携帯情報端末用ホルダーの固定方法はこのような方法に限定されるわけではない。図４に他の固定方法を採用した携帯情報端末用ホルダーＹの斜視図を示す。携帯情報端末用ホルダーＹは、前記携帯情報端末用ホルダーＸに対して、背面部３０を設けることに代えて、側面支持体１０の一方の側縁に鉤が形成されて突起１１を設けたものである。この携帯情報端末用ホルダーＹは、突起１１が嵌る斜めに形成されたスリット状の凹部Ｗａが設けられた壁面に固定される壁部材Ｗに固定されるものである。具体的には、凹部Ｗａに突起１１の鉤の先端を差し入れて、鉤部分を凹部Ｗａの下端より先に至るように斜め下方に移動させた後に、突起１１全体を凹部Ｗａ内に回しながら挿入する。これにより、突起１１は鉤部分で係合して抜けず、固定することができる。図５に携帯情報端末用ホルダーＹを壁部材Ｗに固定した状態を示す。携帯情報端末用ホルダーＹは吊り下げないので、図５に示すように縦方向にコンパクトに複数配置して固定することができる。
【００１３】
また、携帯情報端末用ホルダーは壁面に固定するだけでなく、机などに置くような形態としてもよい。一例を図６に示す。図に示す携帯情報端末用ホルダーＺは側面支持体１０の下面に、側面支持体１０を斜めになるように支持する脚部１２を設け、脚部１２の下端を板状体からなる台座部１３に固定したものである。このように机などに置く形態としても、底部支持体２０が保持するスマートフォンの底部は斜め下方に表出するので、この状態で充電ケーブルとスマートフォンとを接続しても、充電ケーブルのコネクターは机に干渉せず使用することができ、充電ケーブルも机に沿わせて配置することができる。
【００１４】
そして、上記形態では、携帯情報端末用ホルダーは板体を組み合わせて形成しているが、板体以外にもワイヤーフレーム等の棒状体で形成したり、一部を網体や紐体で形成したりすることができる。また、携帯情報端末用ホルダーの素材も任意に選択でき、金属や合成樹脂、木材や陶器等種々の素材を用いることができる。
また、上記実施形態ではスマートフォンを保持することを例示したが、大きさを変えることでタブレットコンピューターなどの他の扁平直方体状の携帯情報端末にも使用することができる。
【符号の説明】
【００１５】
Ｘ、Ｙ、Ｚ  携帯情報端末用ホルダー
１０  側縁支持体
２０  底部支持体
３０  背面体
３１ａ  隙間
４０  前面体
【図１】
0003191679.tif 000003
【図２】
0003191679.tif 000004
【図３】
0003191679.tif 000005
【図４】
0003191679.tif 000006
【図５】
0003191679.tif 000007
【図６】
0003191679.tif 000008